(57)【要約】      （修正有）【課題】操作性及びデザイン性を向上させつつ、スイッチ部の誤動作の防止や、信頼性を向上させた洗濯機を提供する。【解決手段】上部枠体３と制御基盤収納部１０との間にボタン部１１を有した操作パネル部１２を設け、この操作パネル部１２と制御基盤９を収納する制御基盤収納部１０とを、予め固着し、固着状態で上部枠体３に取り付けるとともに、上部枠体３からリブ２２ａを形成して操作パネル部１２に当接する構成としたもので、組み立て時の寸法安定を図るとともに、操作パネル部１２のみならず、上部枠体３に多様な押圧が加えられてもスイッチ２４に異常な入力の防止が出来る。また、操作パネル部１２と制御基盤収納部１０を予めユニット部材として構成して、その後上部枠体３に取り付けるので作業性も向上する。【選択図】図２
2008006046.tif 000002
【特許請求の範囲】
【請求項１】
洗濯機本体と、前記洗濯機本体の上方を覆う上面に操作部カバーを貼り付けた上部枠体と、制御基盤および前記制御基盤を下方より覆設した制御基盤収納部と、前記制御基盤収納部と前記上部枠体との間には、前記制御基盤上のスイッチを操作するボタン部を一体形成した操作パネル部とを備え、前記操作パネル部は前記制御基盤収納部にネジ締結または嵌着係止により予め固着する様に構成し、前記固着状態で前記上部枠体に取り付けると共に、操作パネル部と上部枠体との間に空間部を設け、前記空間部に前記上部枠体よりリブを設けてその先端を前記操作パネルの上面に当接させた洗濯機。
【請求項２】
制御基盤は、操作制御基盤と電源制御基盤とに分割し、操作パネル部は前記操作制御基盤の部分にのみ構成した請求項１に記載の洗濯機。
【請求項３】
制御基盤収納部の衣類投入口側外周部側面には電気配線のリード線を保持する上リブ、下リブを設け、更に前記制御基盤収納部の底面には、少なくとも前記リード線が引き回される範囲にて下方へ伸ばした保護リブを設けた請求項１または２に記載の洗濯機。
【請求項４】
制御基盤収納部は、操作制御基盤と電源制御基盤との装着場所以外の場所にプッシュスイッチを設け、その充電部の端子を制御基盤収納部の外下方から防水カバーを取り付けた請求項１〜３のいずれか１項に記載の洗濯機。
【発明の詳細な説明】
【技術分野】
【０００１】
本発明は、本体上部内方に制御基盤を配設した洗濯機に関するものである。
【背景技術】
【０００２】
従来、この種の洗濯機は図１１に示すような構成が一般的であり、以下その構成について説明する。図１１に示すように、洗濯機本体１は、内部に洗濯槽２を回転自在に支持し、この洗濯機本体１の上部に上部枠体３を装着し、上部枠体３の略中央部に衣類投入口４を形成し、開閉自在の蓋５で覆っている。また、上部枠体３の後部には、給水用の電磁給水弁６と、注水口部材７を内蔵し、後方パネル部材８で覆っている。
【０００３】
また、上部枠体３の前部内方には、使用者が洗濯条件の設定や、スタート、一時停止等の操作を行うスイッチや、洗濯行程の進行表示等を行う制御基盤９を内装した制御基盤収納部１０を配する。
【０００４】
前記制御基盤９は、防湿材のポッティング材等にて被覆され制御基盤収納部１０内部に保持され、この制御基盤収納部１０は、前記スイッチに対応したボタン部１１を形成した上部枠体３の裏面にネジまたは爪（図示せず）にて固定している。
【０００５】
なお、ボタン部１１を上部枠体３に一体形成せず、別部材のボタンを設けた操作パネル部材を上部枠体に形成した凹部に嵌着させた構成もある（例えば、特許文献１参照）。
【０００６】
また、制御基盤（プリント配線板）に実装した発光素子に支持部材を被着し、この支持部材にスイッチを動作させる操作部（ボタン部）を一体形成した構成もある（例えば、特許文献２参照）。
【０００７】
また、制御装置を、電源部と操作表示部と電源スイッチとに分割して構成し、かつ１個の制御基盤収納部に収める構成をとった例において、電源部と電源スイッチとを接続するリード線を制御基盤収納部の裏面に設けた突起部に拘束して保持することにより、制御基盤上のスイッチや、発光素子等多数の部材が配置された面側にリード線を這わさないように構成したものもある（例えば、特許文献３参照）。
【特許文献１】特開２００１−８７５９５号公報
【特許文献２】特開２００３−１１５２３４号公報
【特許文献３】特開２００４−７３７０８号公報
【発明の開示】
【発明が解決しようとする課題】
【０００８】
しかしながら、このような従来の構成では、上部枠体３は樹脂成型品にて構成されていることが一般的であり、その剛性には限度があり、操作のボタン部近傍を強く押した場合にスイッチが入力され制御基盤が誤動作してしまうことがある。
【０００９】
ボタン部操作の為の押圧以外、例えば使用者がボタン操作部ではない箇所に手をついたような場合に、上部枠体の変形によりスイッチが入力されてしまう事がある。
【００１０】
また、リード線の処理においては、制御装置の裏面側を経由する際の保持を確実に構成することが求められている。
【００１１】
また、スイッチ類は制御基盤に実装されている為、使用頻度の多いスイッチ（例えば電源のオン、オフスイッチ等は必ず使用の際に操作される）は押圧動作回数が極めて多いために、制御基盤に加わる応力の回数も多くなり、反復した応力により制御基盤が劣化しやすくなるという課題もあった。
【００１２】
本発明は上記従来の課題を解決するもので、操作性及びデザイン性を向上させつつ、スイッチ部の誤動作の防止や、信頼性を向上させる事を目的としている。
【課題を解決するための手段】
【００１３】
本発明は上記従来の課題を解決するために、上部枠体と制御基盤収納部との間にボタン部を有した操作パネル部を設け、この操作パネル部と制御基盤を収納する制御基盤収納部とを予め固着し、固着状態で上部枠体に取り付けるとともに、上部枠体からリブを形成して操作パネル部に当接する構成、および使用頻度の多いスイッチを制御基盤より分離した構成、としたものである。
【００１４】
これにより、操作パネル部のみならず、上部枠体に多様な押圧が加えられてもスイッチに異常な入力の防止ができ、制御基盤の信頼性を向上するようにしたものである。
【発明の効果】
【００１５】
本発明の洗濯機は、上部枠体に多様な押圧が作用しても安定した操作性と、信頼性を確保できる。
【発明を実施するための最良の形態】
【００１６】
第１の発明は、洗濯機本体と、前記洗濯機本体の上方を覆う上面に操作部カバーを貼り付けた上部枠体と、制御基盤および前記制御基盤を下方より覆設した制御基盤収納部と、前記制御基盤収納部と前記上部枠体との間には、前記制御基盤上のスイッチを操作するボタン部を一体形成した操作パネル部とを備え、前記操作パネル部は前記制御基盤収納部にネジ締結または嵌着係止により予め固着する様に構成し、前記固着状態で前記上部枠体に取り付けると共に、操作パネル部と上部枠体との間に空間部を設け、前記空間部に前記上部枠体よりリブを設けてその先端を前記操作パネルの上面に当接させたことにより、操作パネル部のみならず、上部枠体に多様な押圧が加えられてもスイッチに異常な入力の防止が出来る。また、操作パネル部と制御基盤収納部を予めユニット部材として構成して、その後上部枠体に取り付けるので作業性が向上する。
【００１７】
第２の発明は、特に、第１の発明において、制御基盤は、操作制御基盤と電源制御基盤とに分割し、操作パネル部は前記操作制御基盤の部分にのみ構成したものであり、これにより操作パネル部の形状を簡略化できる。
【００１８】
第３の発明は、特に、第１または第２の発明において、制御基盤収納部の衣類投入口側外周部側面には電気配線のリード線を保持する上リブ、下リブを設け、更に前記制御基盤収納部の底面には、少なくとも前記リード線が引き回される範囲にて下方へ伸ばした保護リブを設けることにより、リード線の保持を簡単かつ確実にするとともに、使用者のリード線に触れる危険性を排除する事が出来る。
【００１９】
第４の発明は、特に、第１〜３の発明において、制御基盤収納部は、操作制御基盤と電源制御基盤との装着場所以外の場所にプッシュスイッチを設け、その充電部の端子を制御基盤収納部の外下方から防水カバーを取り付けたものであり、使用頻度の多いスイッチを制御基盤から分離したので制御基盤の信頼性が向上する。
【００２０】
以下、本発明の実施の形態について、図面を参照しながら説明する。なお、従来例と同じ構成のものは同一符号を付して説明を省略する。また、この実施の形態によって本発明が限定されるものではない。
【００２１】
（実施の形態１）
図１は、本発明の第１の実施の形態における洗濯機の側断面図、図２は、同洗濯機の上部枠体前部の側断面図である。図１において、従来例の図１１と同じ構成部品は同符号を付けて説明する。
【００２２】
洗濯機本体１は、内部に洗濯槽２を防振支持体４１を介して防振部材（サスペンション）４０により垂下防振支持し、この洗濯機本体１の上部に上部枠体３を装着し、上部枠体３の略中央部に衣類投入口４を形成し、蓋５で開閉自在に覆っている。また、上部枠体３の後部に電磁給水弁６と、注水口部材７を内蔵し、後方パネル部材８で覆っている。
【００２３】
また、図２に示すように、上部枠体３の前部内方にはスイッチ２４や発光ダイオード等の発光素子２３を構成した制御基盤９を内蔵しており、この制御基盤９は表裏両面を防水処理のウレタン樹脂等にてなるポッティング材１７等にて封止するために、制御基盤９を下部より覆設するように構成した制御基盤収納部１０の内部に固定されている。
【００２４】
この制御基盤収納部１０の上面側には、前記上部枠体３との間にボタン部１１、及び制御基盤９に配設された発光素子２３の光を表面に導く導光経路１６を一体に設けた操作パネル部１２を被覆するように配し、前記操作パネル部１２は前記制御基盤収納部１０との取り付けを安定させるために前部にて、ネジ１８にて制御基盤収納部１０に形成したボス部２０にねじ止めしており、後部はＬ字状に形成した爪部１９にて嵌着係止するように構成している。なお、後部を爪部に代わってネジ固定しても同じ効果を得られる。
【００２５】
制御基盤９を内設した制御基盤収納部１０と、操作パネル部１２とは上記のようにねじ止め等により、予め固着されユニット部材として構成し、その後上部枠体３に取り付けるものである。
【００２６】
上部枠体３の前部上面には１ｍｍ程度の凹みが設けられた略平面部２７を設けており、操作パネル部１２に設けたボタン部１１に対応した孔２６ａ、および導光経路１６に対応した孔２６ｂを配設している。前記略平面部２７には、シートにボタン操作とコースや工程の内容を印刷し、裏面に接着剤を塗布した操作部カバー１３を貼付被設している。
【００２７】
また、操作パネル部１２と上部枠体３の間には操作パネル部１２からボタン部１１を突出させる事で空間部２１を設けており、この空間部２１に上部枠体３よりリブ２２ａや２２ｂを設け、その先端を操作パネル部１２の上面に当接させる事で、上部枠体３の強度向上や、高さ関係の寸法安定を図り、ボタン部１１の操作を確実にしている。
【００２８】
制御基盤収納部１０の下方には保護カバー１５にて制御基盤収納部１０を覆うように構成しており、この保護カバー１５は上部枠体３にネジ、または爪（図示せず）により固定されている。
【００２９】
以上のように、本実施の形態では、上部枠体内方にリブ２２ａや２２ｂを構成したことで強度を向上する事ができる上に、操作部以外の場所および、ボタン部１１周辺を押した時も上部枠体３のリブが操作パネル部に接触する事で、ボタン部１１がスイッチ２４を動作させてしまう誤動作を防止する事ができる。
【００３０】
また、操作パネル部１２を上部枠体３のリブ２２ａ、２２ｂと制御基盤収納部１０とで挟み込むように構成する事で、操作パネル部１２の両端をネジ止めできない時でも成型による後収縮で反り上がる事がなく、ボタン部１１を安定して操作する事が可能となり、また、強度を向上する事も出来る。
【００３１】
また、操作パネル部１２を制御基盤収納部１０に予め取り付けてユニット部材として構成する事で、上部枠体３に取り付ける作業が一度で済み、生産性と作業性を向上させる事ができる。
【００３２】
また、制御基盤収納部１０の外周に設けた鍔を上部枠体３のリブに当接させることで、上部枠体３の強度を補強する事が出来る。
【００３３】
（実施の形態２）
図３は、本発明の第２の実施の形態における洗濯機の要部分解斜視図、図４は、同洗濯機の上部枠体前部の側断面図、図５は、同洗濯機の上部枠体前部の別の箇所の側断面図である。
【００３４】
図３の分解図に示すように、制御基盤９は、品質安定化や生産性の向上の為にスイッチや発光ダイオードを構成する操作制御基盤９ａと、電装部品及び工程管理を行うマイコン等を構成する電源制御基盤９ｂとに分割し、その間を短い接続線２８にて電気的に接続して構成されている。
【００３５】
このように制御基盤９を分割して構成した時に、制御基盤収納部１０は操作制御基盤９ａを収納する操作制御基盤収納部１０ａと、電源制御基盤９ｂを収納する電源制御基盤収納部１０ｂとを一体に構成し、操作パネル部１２は、前記操作制御基盤収納部１０ａ部分のみを被覆する構成としている。
【００３６】
操作制御基盤収納部１０ａの周辺は操作パネル部１２より外周に鍔２５を設け、図４に示すように上部枠体３に形成したリブ２２ｂと制御基盤収納部１０とでこの鍔２５を挟みこむように構成する。
【００３７】
電源制御基盤９ｂを収納した電源制御基盤収納部１０ｂの周辺は平面部３１および取付ボス部２９を一体形成し、図５に示すように上部枠体３に配設したリブ３２に制御基盤収納部１０の平面部３１を当接させつつ、取付ねじ３０にて取付ボス部２９を介して、上部枠体３に固着する。
【００３８】
電源制御基盤収納部１０ｂの下方には保護カバー１５にて制御基盤収納部１０を覆うように構成しており、この保護カバー１５は上部枠体３にネジ、または爪（図示せず）にて固定されている。
【００３９】
また、図５に示すように電源制御基盤９ｂは表裏面を防湿ポッティング材１７にて封止防湿処理されつつ電源制御基盤収納部１０ｂ内に保持され、上部枠体３側には、複雑な形状の操作パネル部１２を被覆することなく開放部３３で開放されている。
【００４０】
以上のように、本実施の形態では、制御基盤９を操作制御基盤９ａと電源制御基盤９ｂとに分割して構成した場合に、操作パネル部１２は操作制御基盤９ａの部分にのみ構成しているので、操作パネルの形状を小型化し簡略化できる。
【００４１】
（実施の形態３）
図６は、本発明の第３の実施の形態における洗濯機の上部枠体前部の側断面図であり、図７は、同洗濯機の要部一部断面斜視図である。
【００４２】
本実施例は、制御基盤収納部１０により電気配線のリード線の引き回しを確実にすること及び、使用者の安全性を向上したものである。
【００４３】
図６において、制御基盤収納部１０の衣類投入口３９側外周部側面にリード線３４を保持する上リブ３５、下リブ３６を設け、リード線３４を前記上リブ３５、下リブ３６の間に挟み込むように構成する。更に、制御基盤収納部１０の衣類投入口３９側底面から少なくともリード線３４が引き回される範囲のみ下方へ延設した保護リブ３８を構成した。
【００４４】
図７において、制御基盤収納部１０の上リブ３５と下リブ３６とは、水平方向に寸法Ｈの間隙を有するように形成するが、これはプラスチック成型材等で構成された制御基盤収納部１０の成型加工時に、離型困難な金型アンダーカットを無くす為の構成である。
【００４５】
また、下リブ３６は、その端部３６ａを上方にＬ型に屈曲させ、リード線３４を係止した後、はずれることを防止する。上リブ３５には小孔３５ａを形成し、インシュロック３７等を使い、リード線を制御基盤収納部１０に確実に固定するように構成する。
【００４６】
以上のように構成された洗濯機の制御基盤収納部１０により、リード線の保持を簡単かつ確実にするとともに、使用者の充電部分であるリード線に触れる危険性を排除する事が出来る。
【００４７】
（実施の形態４）
図８は、本発明の第４の実施の形態における洗濯機の要部分解斜視図であり、図９は、同洗濯機の防水カバーの斜視外観図、また図１０は、同洗濯機の上部枠体前部の側断面図である。
【００４８】
本実施例は、使用頻度の多いスイッチを制御基盤から分離し、制御基盤に加わる応力を緩和する構成である。
【００４９】
図８において、制御基盤収納部１０に、操作制御基盤９ａ及び電源制御基盤９ｂとは別にプッシュスイッチ４２を設けるプッシュスイッチ収納部１０ｃを一体に形成する。
【００５０】
プッシュスイッチ４２は、図２で示した制御基盤９上に構成されたスイッチ２４が電子回路の信号入力を行う形式に対し、１００Ｖや２００Ｖ等の高圧系の電源のオン、オフを操作する形式であり、使用頻度も多く前記プッシュスイッチ収納部１０ｃ内に配設する。
【００５１】
図９は図８のプッシュスイッチ収納部１０ｃの裏面側からプッシュスイッチ４２の充電部をカバーする構成の防水カバー１４の矢視図である。
【００５２】
防水カバー１４は、図９に示す外周の全周にリブ１４ｂを２重で設けており、その一部をカットした切り欠け形状４４ａ，４４ｂを形成した構成し、カットする場所は防水カバー１４の角部１４ａに構成しており、９０度ずらした構成としている。
【００５３】
図１０の断面図において、制御基盤収納部１０のプッシュスイッチ収納部１０ｃにプッシュスイッチ４２を配設し、その充電部（接続端子）４３は、プッシュスイッチ収納部１０ｃの底部１０ｄから外底部に露出し、プッシュスイッチ４２および、プッシュスイッチ４２とリード線４５をつなぐコネクター４６等の充電部を覆うように防水カバー１４を制御基盤収納部１０の外下方から、小ネジ４７で取り付ける様に構成した。プッシュスイッチ４２は、上部枠体３に配したプッシュボタン４８の押圧操作により動作する。
【００５４】
リード線４５は、この防水カバー１４の図９に示した９０度ずらした切り欠け形状４４ａ，４４ｂの間を通っていく事になる。切り欠け形状４４ａ，４４ｂは、リード線４５が通過させ得る最小限の形状とし、湿気や水分の浸入を防止する。
【００５５】
以上のように、本実施の形態では、使用頻度の多いスイッチを制御基盤上から排除したので制御基盤の信頼性が向上するとともに、操作者が充電部分であるリード線等に触れる危険性はなくなり、また、防水性能も確保する事で安全性を向上させる事ができる。
【産業上の利用可能性】
【００５６】
以上のように、本発明にかかる洗濯機は、操作パネル部のみならず、上部枠体に多様な押圧が加えられてもスイッチに異常な入力の防止ができ、制御基盤の信頼性が向上するので、洗濯機に限らず、制御基盤を有する各種機器にも広く適用が可能である。
【図面の簡単な説明】
【００５７】
【図１】本発明の実施の形態１における洗濯機の側断面図
【図２】同洗濯機の上部枠体前部の側断面図
【図３】本発明の実施の形態２における洗濯機の要部分解斜視図
【図４】同洗濯機の上部枠体前部の側断面図
【図５】同洗濯機の上部枠体前部の別の箇所の側断面図
【図６】本発明の実施の形態３における洗濯機の上部枠体前部の側断面図
【図７】同洗濯機の要部一部断面斜視図
【図８】本発明の実施の形態４における同洗濯機の要部分解斜視図
【図９】同洗濯機の防水カバーの斜視外観図
【図１０】同洗濯機の上部枠体前部の側断面図
【図１１】従来の洗濯機の側断面図
【符号の説明】
【００５８】
１      洗濯機本体
２      洗濯槽
３      上部枠体
９      制御基盤
９ａ    操作制御基盤
９ｂ    電源制御基盤
１０    制御基盤収納部
１１    ボタン部
１２    操作パネル部
１３    操作部カバー
１４    防水カバー
２１    空間部
２２ａ  リブ
２４    スイッチ
３４    リード線
３５    上リブ
３６    下リブ
３８    保護リブ
４２    プッシュスイッチ
４３    充電部
【図１】
2008006046.tif 000003
【図２】
2008006046.tif 000004
【図３】
2008006046.tif 000005
【図４】
2008006046.tif 000006
【図５】
2008006046.tif 000007
【図６】
2008006046.tif 000008
【図７】
2008006046.tif 000009
【図８】
2008006046.tif 000010
【図９】
2008006046.tif 000011
【図１０】
2008006046.tif 000012
【図１１】
2008006046.tif 000013